(57)【要約】      （修正有）【課題】走行中におけるビークル内の乗員の安全を促進するシートアセンブリを提供する。【解決手段】シートアセンブリはシート及びシートに連結されたシートベルトを備える。シートベルトは、第１のストラップ４０６と第２のストラップ４０８とを含む。シートベルトは、第１のストラップ４０６を第２のストラップ４０８に選択的に固定するように構成されたラッチ２０８を更に含む。ラッチ２０８は、ラッチ２０８がシートベルトの第１のストラップ４０６をシートベルトの第２のストラップ４０８に適切に固定していることの検出に応じて固定指標を提供し、ラッチ２０８がシートベルトの第１のストラップ４０６をシートベルトの第２のストラップ４０８に適切に固定していないことの検出に応答して非固定指標を提供するように構成されたラッチセンサ２１０を更に含む。ラッチ２０８は、非固定指標に応答して警告を提供するラッチインジケータ２１２を更に含む。【選択図】図５
2020001683.tif 000002
【特許請求の範囲】
【請求項１】
シート（２０３）；及び
前記シート（２０３）に連結されたシートベルト（２０４）
を備えたシートアセンブリ（２０２）であって、前記シートベルト（２０４）が：
第１のストラップ（４０６）；
第２のストラップ（４０８）；及び
前記第１のストラップ（４０６）を前記第２のストラップ（４０８）に対して選択的に固定するように構成されたラッチ（２０８）を備え、前記ラッチが：
前記ラッチ（２０８）が前記シートベルト（２０４）の前記第１のストラップ（４０６）を前記シートベルト（２０４）の前記第２のストラップ（４０８）に適切に固定していることの検出に応答して固定指標を提供し、前記ラッチ（２０８）が前記シートベルト（２０４）の前記第１のストラップ（４０６）を前記シートベルト（２０４）の前記第２のストラップ（４０８）に適切に固定していないことの検出に応答して非固定指標を提供するように構成されたラッチセンサ（２１０）と、
前記非固定指標に応答して警告を提供するように構成されたラッチインジケータ（２１２）と
を備える、シートアセンブリ（２０２）。
【請求項２】
前記シート（２０３）が占有されていることに応答して占有の指標を提供し、前記シート（２０３）が占有されていないことに応答して非占有の指標を提供するように構成された占有センサ（２０６）を更に備え、前記ラッチ（２０８）上の前記ラッチインジケータ（２１２）が、前記占有センサ（２０６）が前記非占有の指標を提供するときには前記非固定指標に応答した警告を防止するように構成されている、請求項１に記載のシートアセンブリ（２０２）。
【請求項３】
空間的に前記シートベルト（２０４）に対応するように配置された近位インジケータ（２２２）を更に備え、前記近位インジケータ（２２２）が、前記非固定指標に応答して、光、音、又は振動のうちの少なくとも一つを生成するように構成されている、請求項１又は２に記載のシートアセンブリ（２０２）。
【請求項４】
前記近位インジケータ（２２２）が、前記非固定指標を受け取ることに応答して視覚的警告を提供するように構成された表示スクリーン（３０２）を含む、請求項３に記載のシートアセンブリ（２０２）。
【請求項５】
前記ラッチ（２０８）上の前記ラッチインジケータ（２１２）が、前記非固定指標に応答して照明を生成することのできる光源（２１３）、前記非固定指標に応答して振動による刺激を生成することのできる振動装置（２１５）及び前記非固定指標に応答して聴覚的刺激を生成することのできるスピーカ（２１７）のうちの少なくとも一つを含む、請求項１から４のいずれか一項に記載のシートアセンブリ（２０２）。
【請求項６】
前記ラッチセンサ（２１０）がコンピューティング装置（２１４）と通信し、前記固定指標及び前記非固定指標のうちの少なくとも一つを生成する、請求項１から５のいずれか一項に記載のシートアセンブリ（２０２）。
【請求項７】
前記ラッチインジケータ（２１２）が前記コンピューティング装置（２１４）と通信し、前記非固定指標に応答して前記警告を提供する、請求項６に記載のシートアセンブリ（２０２）。
【請求項８】
シート（２０３）；
前記シート（２０３）に連結されたシートベルト（２０４）であって；
第１のストラップ（４０６）と；
第２のストラップ（４０８）と；
前記第１のストラップ（４０６）を前記第２のストラップ（４０８）に対して選択的に固定するように構成されたラッチ（２０８）であって、前記第１のストラップ（４０６）が前記ラッチ（２０８）を介して前記第２のストラップ（４０８）に適切に固定されていることを検出し、前記第１のストラップ（４０６）が前記ラッチ（２０８）を介して前記第２のストラップ（４０８）に適切に固定されていないことを検出するように構成されたラッチセンサ（２１０）を含む前記ラッチ（２０８）と
を含む前記シートベルト（２０４）；及び
前記シート（２０３）に空間的に近接し、近位警告を提供するように構成された近位インジケータ（２２２）
を含むシートアセンブリ（２０２）；
前記シートベルト（２０４）の前記第１のストラップ（４０６）が前記ラッチ（２０８）を介して前記シートベルト（２０４）の前記第２のストラップ（４０８）に適切に固定されていないことの、前記ラッチセンサ（２１０）による検出に応答して、非固定指標を提供するように構成されたコンピューティング装置（２１４）；並びに
前記非固定指標に応答して前記シートアセンブリ（２０２）から離れた位置に遠位警告を提供するように配置された遠位インジケータ（２２４）
を備えるシートベルト固定システム（１０４）。
【請求項９】
前記シートアセンブリ（２０２）が、前記シートアセンブリ（２０２）が占有されていることに応答して占有の指標を提供し、前記シートアセンブリ（２０２）が占有されていないことに応答して非占有の指標を提供するように構成された占有センサ（２０６）を更に含み、前記近位インジケータ（２２２）が、前記占有センサ（２０６）が前記非占有の指標を提供するときには前記非固定指標に応答した警告を防止するように構成されている、請求項８に記載のシートベルト固定システム（１０４）。
【請求項１０】
前記コンピューティング装置（２１４）が、更に前記遠位インジケータ（２２４）と通信し、前記コンピューティング装置（２１４）が、乗員の手入力、乱気流ステータス、巡航ステータス、及び運行遷移の指標のうちの少なくとも一つに応答して、前記ラッチセンサ（２１０）、前記近位インジケータ（２２２）、及び前記遠位インジケータのうちの少なくとも一つを作動及び作動解除するように構成されている、請求項８又は９に記載のシートベルト固定システム（１０４）。
【請求項１１】
前記ラッチ（２０８）が、前記ラッチ（２０８）に連結されたラッチインジケータ（２１２）を更に含み、前記コンピューティング装置（２１４）が、前記非固定指標に応答して、前記ラッチ（２０８）に警告を提供するように前記ラッチインジケータ（２１２）を作動させる、請求項８から１０のいずれか一項に記載のシートベルト固定システム（１０４）。
【請求項１２】
前記遠位インジケータが、中央ディスプレイ（２２６）及びモバイル機器（２２８）のうちの少なくとも一つを含み、前記コンピューティング装置（２１４）が、前記非固定指標に応答して前記遠位警告を提供するように前記中央ディスプレイ（２２６）及びモバイル機器（２２８）のうちの少なくとも一つを作動させる、請求項８から１１のいずれか一項に記載のシートベルト固定システム（１０４）。
【請求項１３】
シートベルトの固定のための方法（５００）であって：
占有センサ（２０６）からの信号に基づいてシート（２０３）の占有の有無を決定すること；
前記シート（２０３）が占有されているという決定に応答して、シートベルトのラッチ（２０８）のステータスを要求すること；
前記要求に応答して、ラッチセンサ（２１０）からラッチ信号を受け取ること；及び
少なくとも、前記シートベルトのラッチ（２０８）が固定されていないことを示すラッチ信号に応答して、前記シート（２０３）に空間的に近接する近位警告及び前記シート（２０３）から空間的に離れている遠位警告のうちの少なくとも一つを提供すること
を含む方法。
【請求項１４】
前記近位警告及び前記遠位警告のうちの少なくとも一つが、更に：
前記シートアセンブリ（２０２）のシートベルト固定モードを作動させるための手入力を受け取ること；及び
少なくとも一つの運行遷移の検出を受け取ること
のうちの少なくとも一つに応答して提供される、請求項１３に記載の方法。
【請求項１５】
前記近位警告を提供することが、ラッチインジケータ（２１２）及び近位インジケータ（２２２）のうちの少なくとも一つに近位警告を生成することを含み、前記遠位警告を提供することが、前記シート（２０３）から空間的に離れた中央ディスプレイ（２２６）を作動させて遠位警告を表示させることを含む、請求項１３又は１４に記載の方法。
【発明の詳細な説明】
【技術分野】
【０００１】
本発明は、概してビークルに関し、特に乗員をシートに固定するためのシートベルトシステムに関する。
【背景技術】
【０００２】
シートベルトは、走行中におけるビークル内の乗員の安全を促進する。シートベルトは放出力に対向する拘束力を適用し、それがない場合にはシートの占有者が不安定になるであろう。この拘束力は、占有者をシート上の所定の位置に維持し、放出力の存在下で怪我の危険を低下させる。一般に、シートベルトはラッチによって解除可能に固定される。シートベルトが意図した方式で機能するためには、ラッチは、占有者に放出力が加わるときに適切に固定されていなければならない。シートベルトのラッチが適切に固定されていることを保証することは、特に大量輸送用のビークルの場合、困難且つ労働集約的で、長時間を要し得る。
【発明の概要】
【０００３】
本出願の主題は、当技術分野の現状に応答して、且つシートベルトのラッチが適切に固定されているかどうかを決定するための従来の方法に関連付けられる問題と欠点に応答して開発された。したがって、本出願の主題は、先行技術による技法の上記欠点の少なくとも一部を克服するシートベルトの固定度を向上させるために開発された。
【０００４】
本明細書に記載されるのは、シートを備えるシートアセンブリである。シートベルト固定システムは、シートに連結されたシートベルトを更に備える。シートベルトは、第１のストラップと第２のストラップとを含む。シートベルトは、第１のストラップを第２のストラップに選択的に固定するためのラッチを更に含む。ラッチは、ラッチがシートベルトの第１のストラップをシートベルトの第２のストラップに適切に固定していることの検出に応答して固定指標を提供し、ラッチがシートベルトの第１のストラップをシートベルトの第２のストラップに適切に固定していないことの検出に応答して非固定指標を提供するように構成されたラッチセンサを更に含む。ラッチは、非固定指標に応答して警告を値供するラッチインジケータを更に含む。この段落の前述の主題は本開示の実施例１を特徴付ける。
【０００５】
シートアセンブリは、シートが占有されていることに応答して占有の指標を提供し、シートが占有されていないことに応答して非占有の指標を提供するように構成された占有センサを更に含む。ラッチ上のインジケータは、占有センサが非占有の指標を提供するとき、非固定指標に応答した警告を防止するように構成される。この段落の前述の主題は本開示の実施例２を特徴付け、実施例２は上記実施例１に係る主題も含む。
【０００６】
シートアセンブリは、空間的にシートベルトに対応するように配置された近位インジケータを更に含み、この近位インジケータは、非固定指標に応答して、光、音、又は振動のうちの少なくとも一つを生成するように構成されている。この段落の前述の主題は本開示の実施例３を特徴付け、実施例３は上記実施例１又は例２のいずれか一つによる主題も含む。
【０００７】
近位インジケータが、非固定指標を受け取ることに応答して視覚的警告を提供するように構成された表示スクリーンを含む、シートアセンブリ。この段落の前述の主題は本開示の実施例４を特徴付け、実施例４は上記実施例１から３のいずれか一つによる主題も含む。
【０００８】
視覚的警告は、シートベルトのステータスの指標を含む。この段落の前述の主題は、本開示の実施例５を特徴付け、実施例５は上記実施例１から４のいずれか一つによる主題も含む。
【０００９】
視覚的警告は、どのようにしてシートベルトを適切に固定するかを説明する指示を含む。この段落の前述の主題は本開示の実施例６を特徴付け、実施例６は上記実施例１から５のいずれか一つによる主題も含む。
【００１０】
表示スクリーンは、シートベルトのユーザに警告を伝達するために現在の表示物を中断するように構成される。この段落の前述の主題は本開示の実施例７を特徴付け、実施例７は上記実施例１から６のいずれか一つによる主題も含む。
【００１１】
ラッチ上のインジケータは、非固定指標に応答した照明が可能な光源、非固定指標に応答して振動によるフィードバックを生成することのできる振動装置、及び非固定指標に応答して聴覚的刺激を生成することのできるスピーカのうちの少なくとも一つを含む。この段落の前述の主題は本開示の実施例８を特徴付け、実施例８は上記実施例１から７のいずれか一つによる主題も含む。
【００１２】
ラッチセンサは、コンピューティング装置と通信し、固定指標及び非固定指標のうちの少なくとも一つを生成する。この段落の前述の主題は本開示の実施例９を特徴付け、実施例９は上記実施例１から８のいずれか一つによる主題も含む。
【００１３】
ラッチインジケータは、コンピューティング装置と通信し、非固定指標に応答して警告を提供する。この段落の前述の主題は本開示の実施例１０を特徴付け、実施例１０は上記実施例１から９のいずれか一つによる主題も含む。
【００１４】
本明細書に更に記載されるのは、シートアセンブリを備えるシートベルト固定システムである。シートアセンブリはシートを含む。シートアセンブリは、シートに連結されたシートベルトを更に含む。シートベルトは、第１のストラップと第２のストラップとを含む。シートベルトは、第１のストラップを第２のストラップに選択的に固定するためのラッチを更に含む。ラッチは、第１のストラップがラッチを介して第２のストラップに適切に固定されていることを検出し、且つ第１のストラップがラッチを介して第２のストラップに適切に固定されていないことを検出するように構成されたラッチセンサを含む。シートアセンブリは、シートに空間的に近接する近位インジケータを更に含む。近位インジケータは、近位警告を提供するように構成される。シートベルト固定システムは、ラッチセンサによる、シートベルトの第１のストラップがラッチを介してシートベルトの第２のストラップに適切に固定されていないことの検出に応答して、非固定指標を提供するように構成されたコンピューティング装置を更に含む。シートベルト固定システムは、非固定指標に応答してシートアセンブリから離れた位置に遠位警告を提供するように配置された遠位インジケータを更に含む。この段落の前述の主題は本開示の実施例１１を特徴付ける。
【００１５】
シートアセンブリが、シートアセンブリが占有されていることに応答して占有の指標を提供し、シートアセンブリが占有されていないことに応答して非占有の指標を提供するように構成された占有センサを更に含む、シートベルト固定システム。近位インジケータは、占有センサが非占有の指標を提供するとき、非固定指標に応答した警告を防止するように構成される。この段落の前記主題は本開示の実施例１２を特徴付け、実施例１２は上記実施例１の主題も含む。
【００１６】
コンピューティング装置が更に遠位インジケータと通信するシートベルト固定システム。コンピューティング装置は、乗務員の手入力、乱気流ステータス、巡航ステータス、及び運行遷移の指標のうちの少なくとも一つに応答して、ラッチセンサ２１０、近位インジケータ２２２、及び遠位インジケータのうちの少なくとも一つを作動及び作動解除するように構成される。この段落の前述の主題は本開示の実施例１３を特徴付け、実施例１３は上記実施例１１又は１２のいずれか一つによる主題も含む。
【００１７】
ラッチは、ラッチに連結されたラッチインジケータを更に含む。コンピューティング装置は、非固定指標に応答してラッチに警告を提供するように、ラッチインジケータを作動させる。この段落の前述の主題は本開示の実施例１４を特徴付け、実施例１４は上記実施例１１から１３のいずれか一つによる主題も含む。
【００１８】
遠位インジケータは、中央ディスプレイ及びモバイル機器のうちの少なくとも一つを含む。コンピューティング装置は、非固定指標に応答して遠位警告を提供するように、中央ディスプレイ及びモバイル機器のうちの少なくとも一つを作動させる。この段落の前述の主題は本開示の実施例１５を特徴付け、実施例１５は上記実施例１１から１４のいずれか一つによる主題も含む。
【００１９】
本明細書に更に記載されるのは、占有センサからの信号に基づいてシートの占有状態を決定することを含む、シートベルト固定のための方法である。この方法は、シートが占有されているという決定に応答してシートベルトのラッチのステータスを要求することを更に含む。方法は、要求に応答したラッチセンサからのラッチ信号を受け取ることを更に含む。方法は、シートベルトのラッチが固定されていないことを示すラッチ信号に応答して、シートに空間的に近接する近位警告及びシートから空間的に離れている遠位警告のうちの少なくとも一つを提供することを更に含む。この段落の前述の主題は本開示の実施例１６を特徴付ける。
【００２０】
シートベルト固定モードを作動させるための手入力を受け取ること及び少なくとも一つの運行遷移の検出を受け取ることのうちの少なくとも一つに更に応答して、近位警告及び遠位警告のうちの少なくとも一つが提供される。この段落の前述の主題は本開示の実施例１７を特徴付け、実施例１７は上記実施例１６による主題も含む。
【００２１】
近位警告を提供することは、ラッチインジケータ及び近位インジケータのうちの少なくとも一つに近位警告を生成することを含む。この段落の前述の主題は本開示の実施例１８を特徴付け、実施例１８は上記実施例１６又は１７のいずれか一つによる主題も含む。
【００２２】
遠位警告を提供することは、遠位警告を表示するように、シートから空間的に離れた中央ディスプレイを作動させることを含む。この段落の前述の主題は本開示の実施例１９を特徴付け、実施例１９は上記実施例１６から１８のいずれか一つによる主題も含む。
【００２３】
近位警告及び遠位警告のうちの少なくとも一つを提供することは、警告を表示するようにモバイル機器を作動させることを含む。この段落の前述の主題は本開示の実施例２０を特徴付け、実施例２０は上記実施例１６から１９のいずれか一つによる主題も含む。
【００２４】
記載される本開示の主題の特徴、構造、利点、及び／又は特性は、一つ又は複数の実施例及び／又は実装態様において、任意の適切な様態で組み合わせることができる。後述の説明では、本開示の主題の実施例の網羅的な理解を促すために、多数の具体的な詳細事項が提示される。当業者であれば、特定の実施例又は実装態様の具体的な特徴、詳細事項、構成要素、材料、及び／又は方法のうちの一つ又は複数がなくとも本開示の主題が実施され得ることが分かるであろう。他の事例では、特定の実施例及び／又は実装態様において、すべて実施例又は実装態様に存在するわけではない追加の特徴及び利点が認められよう。更に、いくつかの事例では、本開示の主題の態様を不明瞭にしないために、周知の構造、材料、又は工程が詳細に図示又は記載されない。本開示の主題の特徴及び利点は、以下の説明及び特許請求の範囲からより一層自明となるか、又は以下に明記するように主題を実践することで理解され得る。
【図面の簡単な説明】
【００２５】
本主題の利点の理解を促すため、上記で概説した本主題について、添付図面に示される具体的な実施例を参照することによって、更に詳細に説明する。これら図面は、本主題の典型的な実施例のみを示しており、したがってその範囲を限定するとみなされるべきではないことを理解されたい。本主題は、図面を使用することにより、更なる具体性及び詳細を伴って記載及び説明される。
【００２６】
【図１】本発明の一つ又は複数の実施例による、ビークルの概略ブロック図である。
【図２Ａ】図１のビークルに使用することのできるシートベルト固定システムの概略ブロック図である。
【図２Ｂ】図２Ａのラッチの概略ブロック図である。
【図３】図２Ａのシートベルト固定システムに使用することのできる、シートの背面にあるディスプレイの斜視図である。
【図４】図２Ａのシートベルト固定システムに使用することのできるシートアセンブリの斜視図である。
【図５】図４のシートアセンブリに使用することのできるシートベルトの斜視図である。
【図６】図１〜５に示されるシステム及びアセンブリを用いてシートベルトを動的に固定するための方法の概略フロー図である。
【発明を実施するための形態】
【００２７】
後述するのは、シートベルト固定システムに関連する実施例である。シートベルト固定システムは、ビークルのシートベルトの有効性及び固定度を向上させるための、乗員中心主義の、効率的な方法を提供することができる。本明細書に記載されるシートベルト固定システムは、手動又は自動パラメータに基づいてシートベルトのステータスをモニターする。例えば、システムは、オペレータ、クルー、運転者、乗員、及びパイロットによってオン又はオフにされ得る。システムは、予定又はルーチンのイベントといった一組の自動パラメータ、離陸、着陸、駐車／駐機、加速、及び制動といった運行遷移の動的検出、及び／又は乱気流、道路上の降雨若しくは降雪、事故等の運行条件の検出により操作されるコンピューティング装置によってもオン又はオフにされ得る。
【００２８】
シートベルト固定システムの実施例は、ビークル内の人員に影響し得るもので、シートベルトの適切な使用により緩和又は補助され得るものとして、このような条件を検出する。システムは、人員が自身のシートを占有しているかどうか、及びそのシートのシートベルトが適切に係合しているかどうかを決定することができる。シートベルトのラッチにより、シートベルトがイベントの間に占有者を意図したように拘束できる方式でシートベルトの二つのストラップ部分が連結されている場合、シートベルトは適切に係合している。逆に、シートベルトのラッチが連結していないか、又はシートベルトがイベントの間に占有者を意図したように拘束できない方式で連結している場合、シートベルトは適切に係合していない。占有者又はスタッフが、シートベルトが適切に係合しているかどうかを決定することが困難な場合がある。一部で、本明細書に記載される実施例は、適切な係合についてシートベルトをチェックするプロセスを、より単純化、合理化、及び正確化する。
【００２９】
シートベルトが適切に係合していない場合、人員に対し、シートベルトが適切に係合していない可能性を示す警告が送られる。いくつかの状況では、警告が伝達される人員が、寝ている、不注意である、ストレス下にある、又はそれ以外の理由で警告の受け取りが妨げられている。後述するいくつかの実施例では、シートベルト固定システムは、複数の異なる種類のうちの一つ又は複数の警告を提供する。一実施例では、警告は、シートベルトのラッチ上の点滅光により伝達される。それに加えて又は代えて、警告は、シートベルトのラッチの振動  又は他の触覚に訴える手段により伝達される。警告は、エンタテインメント又はインフォメーションディスプレイ、オーバヘッドパネル、床板、人員の正面にあるシートの背面の、人員の近くに配置されたディスプレイを通して伝達される。
【００３０】
いくつかの実施例では、人員のシートベルトの状態に関して、警告は、更に又は代替的に、オペレータ、クルー、運転者、パイロット等のスタッフに伝達される。この警告により、スタッフは、次に人員の安全を向上させるように状況を矯正すべく行動することができる。例えば、スタッフは、その人の所へ行って落ち着かせる、又はシートベルトが固定されていないことを指摘する、又はシートベルトを固定するうえでの補助を行うことができる。警告は、中央ディスプレイ、スタッフが携帯するモバイル機器、又は人員の近くにあるインジケータを介して伝達され得る。警告は、ビークル内のすべての人員のシートベルトをチェックする代わりに、もっと迅速な応答のために人員のシート位置を識別することができる。スタッフが応答し得る所与の状況の比較的短いウィンドウを考慮すると、後述の実施例は、ビークル内の人々の安全性を向上させることができ、放置すると危険となり得るシートベルトの状況を迅速に識別して対処するスタッフの能力を向上させることができる。添付図面を参照し、更なる詳細を後述する。
【００３１】
図１は、本発明の一つ又は複数の実施例による、ラッチセンサ２１０、占有センサ２０６、コンピューティング装置２１４、及びインジケータ１０２を含むビークル１１０の概略ブロック図である。図１の実施例では、ラッチセンサ２１０は、シートベルトのラッチのステータスを検出し、コンピューティング装置２１４にラッチ信号を伝達するように構成されたセンサである。占有センサ２０６は、シートが占有されていることの検出に応答してコンピューティング装置に占有信号を提供し、シートが占有されていないことの検出に応答してコンピューティング装置に非占有信号を提供する。ラッチセンサ２１０及び占有センサ２０６から受け取られた信号に基づいて、コンピューティング装置２１４は、インジケータ１０２に警告を示させるために、インジケータ１０２に情報を伝達する。インジケータ１０２は、本明細書に記載されるように、ラッチインジケータ、近位インジケータ、及び／又は遠位インジケータである。
【００３２】
図１には、一つのラッチセンサ２１０と、一つの占有センサ２０６と、一つのコンピューティング装置２１４と、一つのインジケータ１０２が示されているが、当業者であれば、本発明に照らして、任意の数の各構成要素がビークル１１０に含まれてよいことを認識するであろう。
【００３３】
図１に示す実施例では、ラッチセンサ２１０、占有センサ２０６、コンピューティング装置２１４、及びインジケータ１０２は、ビークル１１０に組み込まれている。しかしながら、他の実施例では、占有センサ２０６、コンピューティング装置２１４、及びインジケータ１０２の一部又は全部が、ビークル１１０から分離している。一実施例では、コンピューティング装置２１４は、後述されるようにビークル１１０から分離している。
【００３４】
特定の実施例では、ビークル１１０は、各々が一つ又は複数の他のコンピューティング装置２１４に通信可能に連結された複数のコンピューティング装置２１４を含む。特定の実施例によれば、複数のビークル１１０のコンピューティング装置２１４は、通信可能に互いに連結される。コンピューティング装置２１４は、本明細書に記載される対応する機能を協働して実施する一つ又は複数のプロセッサ及びメモリを含むことができる。
【００３５】
ビークル１１０は航空機であり得る。航空機は、様々な航空機、例えば民間航空機、自家用飛行機、戦闘機、及び／又はプロペラ機等のいずれでもよい。ビークル１１０は、代替的に、船舶、バス、列車、自動車、シャトル、ジェットコースター又は他の娯楽スタイルの乗り物等でもよい。
【００３６】
いくつかの実施例では、ビークル１１０は、ビークル１１０の動作に関するデータ、及び／又はビークルの外部環境に関するデータ等を検出及びサンプリングするための複数のセンサを含む。ビークル１１０は、占有者、被占有シート、ラッチ状態等のビークルの内部環境に関するデータを検出及びサンプリングするための複数のセンサも含む。特定の実施例では、ビークルのセンサには、ビークルのブレーキに加わる圧力又は力の量を検出するためのセンサ、ビークルの加速及び／又は減速を検出するためのセンサ、及び／又はビークルのエンジン又は駆動システムにより加わる及び／又は出力される推力の量を検出するためのセンサ、及び／又は接近する乱気流又は運行条件、接近する目的地を検出するためのセンサが含まれる。
【００３７】
特定の実施例では、コンピューティング装置２１４は、ビークル１１０のセンサ、ビークル１１０の中央コンピューティングシステム、及び／又は他のビークルのセンサ若しくはコンピューティングシステムに通信可能に連結される。このようにして、センサデータは、例えば、安全な無線通信ネットワークといったデータネットワーク上で、ビークル１１０からビークル１１０の中央コンピューティングシステム及び／又は一つ又は複数の他のビークルに送信される。
【００３８】
図２Ａは、図１のビークル１１０のようなビークルに使用することのできるシートベルト固定システム１０４の概略ブロック図である。図示の実施例では、シートベルト固定システム１０４はシートアセンブリ２０２を含む。シートアセンブリ２０２は、シート２０３、シートベルト２０４、占有センサ２０６、及び近位インジケータ２２２を含む。シート２０３は、乗客のシート、運転者のシート、貨物ロックダウンプラットフォーム、又はビークル上の他の固定装置であり得る。シートベルト２０４は、第１のストラップ４０６、第２のストラップ４０８（例えば図５参照）、及びラッチ２０８を含むことができる。第１のストラップ４０６と第２のストラップ２０８とは、ラッチ２０８を介して互いに連結することができる。一実施例では、第１のストラップ４０６と第２のストラップ４０８の一方は、他方より長い又は短い。代替的に、第１のストラップ４０６と第２のストラップ４０８は概ね同じ長さである。いくつかの実施例では、ラッチ２０８の全体が第１のストラップ４０６又は第２のストラップ４０８の一つのみと連結される。しかしながら、他の実施例では、二つのストラップを互いに連結するために、ラッチ２０８の分離可能部分が第１のストラップ４０６及び第２のストラップ４０８のうちの対応する一方に連結される。ラッチ２０８は、レバー式ラッチ、ボタン式ラッチ、スライド式ラッチ、ハーネス、拘束棒、カフ、又はシャックル等であり得る。
【００３９】
図示の実施例では、ラッチ２０８はラッチセンサ２１０を含む。ラッチセンサ２１０はラッチ２０８の状態をモニターする。ラッチセンサ２１０は、電気センサ、光学センサ、機械センサ、又は磁気センサ等であり得る。いくつかの実施例では、ラッチセンサ２１０は、ラッチ２０８を介したシートベルト２０４の第１のストラップ４０６と第２のストラップ４０８の連結を検出する。ラッチセンサ２１０は、安全な連結と安全でない連結を区別することができる。ラッチセンサ２１０は、信号又はその他の伝達形式でラッチ２０８の状態の指標を提供することもできる。
【００４０】
いくつかの実施例では、ラッチ２０８はラッチインジケータ２１２を更に含む。ラッチインジケータ２１２は、ラッチ２０８の状態の警告、通知、又は指標を提供する。いくつかの実施例では、警告、通知、又は指標は、視覚的刺激、聴覚的刺激、又は触覚的刺激のうちの少なくとも一つである。複数の異なる実施例において、ラッチインジケータ２１２は、光、音、及び／又は振動等の運動を提供する。ラッチインジケータ２１２は、ラッチ２０８が連結されていない又は安全に連結されていないことの、ラッチセンサ２１０による検出に応答して、指標を提供する。
【００４１】
シートアセンブリ２０２の占有センサ２０６は、シート２０３上の人員又は占有者の存在を検出する。一実施例では、占有センサ２０６は、シート２０３上の占有者の存在を検出するために、シート２０３内に配置されるか又はシート２０３の近くに配置される。例えば、占有センサ２０６は、シート２０３内又はシート２０３の表面、オーバヘッドパネル、シート２０３の前のシートの背面、又はシート２０３に近い壁若しくは床等に配置される。
【００４２】
占有センサ２０６は、シート２０３が占有されたことに応答して占有の指標を提供する。占有の指標は、コンピューティング装置２１４、ラッチセンサ２１０、及び／又はラッチインジケータ２１２といったシートベルト固定システム１０４の一つ又は複数の構成要素への、又はそのような構成要素を通した信号とすることができる。例えば、占有センサ２０６からの占有の指標は、ラッチ２０８のラッチセンサ２１０又はラッチインジケータ２１２に直接送られる。ラッチセンサ２１０又はラッチインジケータ２１２は、占有センサ２０６からの指標に基づくシートアセンブリ２０２が占有されているという決定に応答して、ラッチ２０８のステータスの指標を生成することができる。
【００４３】
占有センサ２０６からの指標は、占有状態又は非占有状態をデフォルトとする。例えば、安全面から、占有センサ２０６は、シート２０３内に占有者がいないことが能動的に決定又は確認されない限り、デフォルトで占有の指標を生成する。加えて、ラッチセンサ２１０、ラッチインジケータ２１２、又はコンピューティング装置２１４は、シート２０３の占有ステータスをデフォルトとする。このようにして、占有センサ２０６が誤作動するか又はそれ以外の理由でシートアセンブリ２０２の占有に関する指標を提供できない場合、ラッチ２０８が固定されていないと占有者及び／又はスタッフに通知されるであろう。
【００４４】
いくつかの実施例では、コンピューティング装置２１４は、シートアセンブリ２０２に対応するビークル（例えば図１のビークル１１０）上に位置する。コンピューティング装置２１４は、空港、バスステーション、海港、又はトランジットセンター等の中央制御ロケーションに位置していてもよい。コンピューティング装置２１４は、複数の局在化された構成要素を含むものとして図示及び記載されているが、他の実施例では、コンピューティング装置２１４の構成要素のうちの一つ又は複数は、互いに離れていてもよい。換言すると、コンピューティング装置２１４は、単独の装置として具現化されるか、又は通信ネットワーク上で接続された一つ又は複数の位置における一群の装置として具現化され得る。
【００４５】
図示の実施例では、コンピューティング装置２１４は、データモジュール２１６、パラメータモジュール２１８、及び送信モジュール２２０を含んでいる。データモジュール２１６は、一実施例では、ラッチセンサ２１０と占有センサ２０６からデータを受け取るように構成される。特定の実施例では、ラッチセンサ２１０及び占有センサ２０６からのデータは、職員若しくは外部システムによる手入力、パラメータモジュール２１８に記憶されている予定又はその他内部入力若しくはパラメータ、又は他のトリガ若しくは入力に基づいてサンプリングされる。
【００４６】
データモジュール２１６は、ラッチセンサ２１０及び占有センサ２０６に加えて、ビークルの他のセンサ又はビークルから離れた場所にあるセンサに接続されてもよい。例えば、データモジュール２１６は、ビークル１１０が減速する間等に、ビークルのブレーキに加わる力又は圧力の量を測定又は検出するためのセンサからデータを要求及び／又は受領する。いくつかの実施例では、センサは、いくつかの運行遷移の間の、ビークルの加速、減速、速さ、速度、粗度、及び／又は乱気流等を検出するためのセンサを含む。更なる実施例では、センサは、ビークルのエンジン又は旋回システムに加わる推力、例えば前方への力、後方への力、又は旋回力の量を決定又は検出するためのセンサを含む。実施例では、前記センサは、運行の間の上記又は他の遷移又は変化を示す運行遷移の指標を提供する。これには、現在検出されているパラメータと、予測又は予想されるパラメータが含まれる。
【００４７】
データモジュール２１６は、ビークルの他のシステム、中央トランジットハブ、他のビークル等からデータを受け取るためのものである。データモジュール２１６によって受け取られるデータは、予定、運行中の位置又は遷移までの近接度又は時間に対応するデータとすることができる。例えば、データモジュール２１６は、乱気流、巡航ステータス、交通渋滞、荒波、風、又は滑り易い道等の運行条件の予測を受け取る。データモジュール２１６は、これらセンサ、予測システム、又は他のソースからデータモジュール２１６で受け取ったデータに基づいて指標を提供する。いくつかの実施例では、データモジュール２１６は、乱気流ステータスに対応するデータを受け取る。乱気流ステータスには、乱気流の自動予測、現在の乱気流の自動検出、更なる乱気流を示す手入力、及び現在の乱気流を示す手入力が含まれる。
【００４８】
いくつかの実施例では、データモジュール２１６は、データモジュール２１６で受け取られたデータの操作を実施する。例えば、データモジュール２１６は、第１のフォーマットのデータを受け取り、このデータを第２のフォーマットに変換する。操作には、データを受け取り、このデータを正規化、フォーマット化、編成、又は他の方法で使用可能なフォーマットに変換するプロセスが含まれる。例えば、サンプリングされたデータは、空港のコンピューティングシステムに送られる前に、データ源／センサによって集積、分類される、及び／又は構造化言語（例えばＸＭＬ）を用いて構造化される等する。データモジュール２１６は、プログラムされたロジック又は命令等に基づいて、一つ又は複数のルックアップテーブルを操作し、一つ又は複数のデータベースにアクセスし、データを特定のオブジェクトに相関させる。
【００４９】
コンピューティング装置２１４のパラメータモジュール２１８は、受け取られたデータに基づいて、ラッチ２０８の条件を記述する一つ又は複数のパラメータを決定するように構成される。本明細書で使用される場合、パラメータモジュール２１８によって受け取られるセンサ入力又は他のデータは、ラッチ２０８の状態又はビークルの運行条件を説明する変数、因数、及び／又は係数等であり得る。このような実施例では、パラメータモジュール２１８は、ビークル上に又はビークルから離れて位置することができ、データモジュール２１６がデータを受け取ることに応答して、受け取られたデータを計算、決定、評価、相関等することができる。
【００５０】
一実施例では、データモジュール２１６によって受け取られるデータを用いてパラメータモジュール２１８が決定する一つ又は複数のパラメータは、非固定指標が提供されなければならない時と場合に関するパラメータを含む。例えば、パラメータモジュール２１８は、ビークルに対する気象条件の影響のタイムフレームを決定し、このタイムフレームに基づいてパラメータを生成する。別の実施例では、パラメータモジュール２１８は、ある位置に到達するまでの時間を決定し、このタイミングに基づいてパラメータを生成する。更なる実施例では、パラメータモジュール２１８は、条件がビークルにどのように影響するかを決定し、占有者又はビークルに対する影響に基づいて、シート２０３の占有者、又はビークルに対応するスタッフに対する警告を生成するための閾値を確立する。いくつかの実施例では、パラメータモジュール２１８によって生成されるパラメータは、ビークルの一つ又は複数の特性に基づいている。他の実施例では、パラメータは、動的な又は変動する変数に基づいて生成される。パラメータは、コンピューティング装置２１４に保存される、ネットワークを通じて他のビークル又はシステムと共有される、又は他の基準に基づいて動的に調整される。
【００５１】
送信モジュール２２０は、インジケータに対し、決定された一つ又は複数のパラメータを送信する、及び／又は他のデータを、ラッチインジケータ２１２、近位インジケータ２２２、遠位インジケータ２２４、別のビークル、中央通過制御若しくは記憶位置、又は他の受領者に送信する。特定の実施例では、送信モジュール２２０は、決定されたパラメータを、データネットワーク上で送信する。更なる実施例では、データモジュール２１６は、センサ又は他の機器を介してデータを検出するビークルに位置し、様々なセンサからデータを受け取ることができる。加えて、又は代替的に、パラメータモジュール２２０は、一つ又は複数のパラメータを決定し、決定されたパラメータを他の受領者と、例えば、ピアツーピアネットワーク、網目状ネットワーク、アドホックネットワーク、及び／又はその他の無線ネットワーク上で他の受領者と直接共有することができる。
【００５２】
特定の実施例では、送信モジュール２２０及び／又はパラメータモジュール２１８は、決定された一つ又は複数のパラメータを、遠隔位置、クラウドロケーション、及び／又は中央通過制御等に記憶する。一実施例では、送信モジュール２２０は、記憶位置から決定された一つ又は複数のパラメータにアクセスし、決定された一つ又は複数のパラメータを、送る、送信する、及び／又は共有する等する。特定の実施例では、他のビークルは、パラメータデータの記憶位置に直接アクセスすることができ、記憶位置から例えばクラウドロケーション又は他の遠隔位置のパラメータデータにアクセスする。
【００５３】
いくつかの実施例では、データモジュール２１６はまた、ビークル１１０に対応するスタッフから手入力を受け取る。手入力は、ラッチインジケータ２１２を起動するコマンドを含むことができる。手入力は、パラメータモジュール２１８が一つ又は複数のパラメータの計算に取り込むことのできる、及び／又はそうでなくとも一つ又は複数のパラメータを用いて強化することのできる、一つ又は複数の変数も含む。例えば、航空機のパイロットが検出された乱気流イベントを入力する、又は運転者が路面状況を入力する場合がある。送信モジュール２２０は、計算されたパラメータに加えて、イベントの影響の範囲内でスタッフから他のスタッフへ主観的データを送信することもできる。
【００５４】
コンピューティング装置２１４は、新規データの更新を受け取ることができる。更新には、データモジュール２１６、パラメータモジュール２１８、及び／又は送信モジュール２２０のためのデータが含まれる。例えば、新規データの更新には、検出されたイベントに対応する警告を送るための、改善された通知時間が含まれる。別の実施例では、コンピューティング装置２１４が、新規の安全プロトコル又は要件で更新される。本明細書に記載されるシートベルト固定システム１０４のいくつかの実施例はコンピューティング装置２１４を含むが、シートベルト固定システム１０４他の実施例がコンピューティング装置又は他のコンピュータ処理構成要素なしで動作できることが認識される。
【００５５】
シートアセンブリ２０２の近位インジケータ２２２はラッチインジケータ２１２に類似している。近位インジケータ２２２は、ラッチインジケータ２１２に替わるものでも、ラッチインジケータ２１２と連動するものでもよい。例えば、近位インジケータ２２２は、ラッチインジケータ２１２と同時に作動させることができる。近位インジケータ２２２は、ラッチインジケータ２１２の作動に続く時間遅延の後で作動されてもよい。このようにして、一実施例では、シート２０３の占有者はラッチインジケータ２１２を介して通知され、ラッチ２０８が特定の時間内に連結されない場合、近位インジケータ２２２が占有者に対する追加の警告として作動され得る。代替的に、近位インジケータ２２２が最初に作動され、その後でラッチインジケータ２１２が類似の方式で作動されてもよい。
【００５６】
上記に提示したように、ラッチインジケータ２１２を参照して、近位インジケータ２２２は、ラッチ２０８のステータスの視覚的警告、聴覚的警告、又は触覚的警告を生成することができる。近位インジケータ２２２は、シート２０３に対応するものとして識別されるようにシート２０３の近くに配置されるか、又はシート２０３の一般的な近傍に配置されるインジケータである。例えば、航空機では、近位インジケータ２２２は、シート２０３の真上のオーバヘッドパネルに位置する。このようにして、近位インジケータ２２２は、シート２０３の占有者、並びに運航乗員といったスタッフに対し、対応するシートアセンブリ２０２のラッチ２０８が固定されていないことを警告することができる。いくつかの実施例では、近位インジケータ２２２は、スタッフによって認識されるように配置され、シートアセンブリ２０２の占有者には見えづらい又は容易に認識されない。
【００５７】
近位インジケータ２２２は、シート２０３に対する近位インジケータ２２２の位置により、対応するシート２０３を識別することができる。いくつかの実施例では、近位インジケータ２２２は、近位インジケータ２２２が対応するシート２０３を識別するための他の識別フィーチャを含む。例えば、近位インジケータ２２２は、シート番号又は位置を見えるようにすることができるか、シート２０３を識別する聴覚的キューを有することができる。いくつかの実施例では、近位インジケータ２２２は、シート２０３に対応するビークルの一般的領域又はエリアに対応する。例えば、近位インジケータ２２２は、ラッチ２０８が固定されていないシート２０３の列又は他のグループを識別することができる。これにより、スタッフ又は占有者のグループは、個々のシート２０３に対応する個々のラッチインジケータ２１２を必要とせずに、特定のエリア内の非固定ラッチ２０８を通知され得る。
【００５８】
シートベルト固定システム１０４の遠位インジケータ２２４には、中央ディスプレイ２２６及び／又はモバイル機器２２８が含まれる。遠位インジケータ２２４は、シートアセンブリ２０２に対して遠位にあるインジケータである。遠位インジケータ２２４には、コックピット、運転者用ディスプレイ、スタッフクオーター又はステージングエリアといったスタッフエリアや、空港、バス停、又は港等の中央通過位置にあるインジケータが含まれる。例えば、航空機上では、中央ディスプレイ２２６は、運航乗員が各シート２０３又は対応する航空機の部分のシートベルト２０４のステータスを見ることができる中央パネルを含む。中央ディスプレイ２２６は、シートベルト２０４の状態を示すことのできるディスプレイとすることができる。中央ディスプレイ２２６は、特定のシート２０３を識別することができる。
【００５９】
中央ディスプレイ２２６は、対応するアクションを実行するためのクルー入力に反応することができる。例えば、中央ディスプレイ２２６は、非固定のシートベルト２０４の警告又は指標を表示することができ、運航乗員が航空機のエリア又は特定のシート２０３を絞り込むための入力をタップ、クリック、スクロール、又はそれ以外の方法で供給することを可能にする。中央ディスプレイ２２６は、他のアクションを容易にすることもできる。例えば、中央ディスプレイ２２６は、運航乗員が、シートアセンブリ２０２における警告、例えばシートアセンブリ２０２の占有者に警告するためのラッチインジケータ２１２への警告を起動することを可能にする。別の実施例では、中央ディスプレイ２２６は、運航乗員が、音声通信又は他の刺激を通してシート占有者と通信することを可能にする。通信は、事前に録音されたメッセージ、又はエンタテインメントスクリーン若しくは他の表示スクリーン上における準備されたメッセージの表示等、自動化されてもよい。通信は、運航乗員がシート占有者と話すための通信用の直通ラインでもよい。いくつかの実施例では、中央ディスプレイ２２６は、ビークルの他の領域又はディスプレイとリンクされる。
【００６０】
遠位インジケータ２２４のモバイル機器２２８は、中央ディスプレイ２２６の上記の機能性を提供する。いくつかの実施例では、モバイル機器２２８は、スマートフォン、タブレット型コンピュータ、ウェアラブルデバイス等を含む。モバイル機器２２８は、スタッフに、ラッチ２０８の状態に関する情報を提供する。モバイル機器２２８は、入力に応答して動作を実行するためのスタッフの入力を容易にすることができる。いくつかの実施例では、モバイル機器２２８はスタッフのメンバーに対応する。別の実施例では、モバイル機器２２８はビークル又はビークルの一部に対応する。モバイル機器２２８は、送信モジュール２２０又は別のソースからデータを受け取る。
【００６１】
いくつかの実施例では、シートベルト固定システム１０４は、シートベルト固定システム１０４の様々な構成要素間での様々な信号及び警告の通信を容易にする。例えば、乗客リスト及び客席情報は、中央サーバからビークル（例えば、ビークル上のコンピューティング装置２１４）に送られる。次いで、情報は、スマートウォッチ、電話機、タブレット、又は他のモバイル機器といった一つ又は複数のモバイル機器へと中継される。コンピューティング装置２１４には、指標、警告等を表示することのできる対応するディスプレイ装置が含まれる。
【００６２】
図２Ｂは、図２Ａのラッチ２０８の概略ブロック図である。図示の実施例では、ラッチ２０８のラッチインジケータ２１２は、光源２１３、振動装置２１５、及びスピーカ２１７のうちの少なくとも一つを含む。光源２１３は、ラッチ２０８上に配置されて、ラッチ２０８の一つ又は複数の表面から光を発することができる。光源２１３は、光のパターン、強度、色等を含む一つ又は複数の特性を有する。例えば、光源２１３は、点滅パターン、減光及び増光強度、並びに一つ又は複数の別個の色を提供する。いくつかの実施例では、光の一つ又は複数の特性は、ラッチ２０８のステータス、シート２０３の占有の有無、ビークルの状態、又はその他考慮事項に対応する。例えば、光源２１３によって生成される光の色は、予測される運行遷移又はイベント、例えば降下、着陸、ドック入れ、抜錨、駐車／駐機等までの時間の緊急性を示す。
【００６３】
光源２１３と同様に、振動装置２１５は、シート２０３の占有者に、ラッチ２０８を適切に固定することを促す刺激を提供する。振動装置２１５は、様々なパターン及び強度の振動を提供し、特定の条件、タイミング、及び緊急度のうちの少なくとも一つをシート２０３の占有者に伝達することができる。
【００６４】
光源２１３及び振動装置２１５のように、スピーカ２１７は、シート２０３の占有者に聴覚フィードバックを提供するために、ラッチ２０８に組み込むことができる。聴覚フィードバックには、ビープ音、一定の又は変動するトーン、音声メッセージ、或いは、様々なパターン、強度、メッセージ、トーン等を有するその他信号が含まれる。
【００６５】
いくつかの実施例では、光源２１３、振動装置２１５、及びスピーカ２１７のうちの一つ又は複数が、同時に、段階的に、又は特定の占有者のニーズ、特定の運行遷移又はイベント、或いは他の条件に応答して作動されるように、一緒に組み込まれる。
【００６６】
図３は、図２Ａのシートベルト固定システム１０４のフィーチャのうちの一つ又は複数を組み込んだシート背面のディスプレイ３００の斜視図である。例えば、一実施例では、シート背面のディスプレイ３００は、シートベルト固定システム１０４の近位インジケータ２２２の一実施例である。図示の実施例では、シート背面のディスプレイ３００は、シート３０８のシート背面３０６に統合されている。シート背面３０６は、シート３０８の後部に配置されており、シート３０８の背後に隣接するシートに対向している。シート背面のディスプレイ３００は、シート３０８の背後に隣接するシートを占有するユーザが見るために配置された表示スクリーン３０２を含む。
【００６７】
表示スクリーン３０２は、表示スクリーン３０２を見る位置にいるユーザの、シートベルト２０４が固定されていないシートベルト固定システム１０４の少なくとも一つの構成要素（例えば、コンピューティング装置２１４）から指標を受け取る。表示スクリーン３０２は、ユーザに警告を伝達するために現在の表示物を中断することができる。現在の表示物は、広告、地図、スクリーンセーバー、エンタテインメント若しくは情報プログラム、又はその他視覚的メディアであり得る。いくつかの実施例では、表示スクリーン３０２は、対応するシートベルトが固定されていないという指標の受領に応答して、非作動状態から作動される。いくつかの実施例では、表示スクリーン３０２は、輝度を調節する、ディスプレイを点滅させる、又はそれ以外の方法でユーザの注意を引く。
【００６８】
ユーザのシートベルトが固定されていないという指標に応答して、表示スクリーン３０２は、ユーザに対し、シートベルトが適切に固定されていないという警告を提示する。警告は、どのようにしてシートベルトを適切に固定するかを説明する指示を含むことができる。警告は、例えば、どのようにしてシートベルトを固定する助けを求めるかを説明する指示を含む。例えば、警告は、ユーザにスタッフ呼び出しフィーチャの操作を教える。
【００６９】
図示の実施例では、シート背面のディスプレイ３００は、シート３０８のシート背面３０６に配置されたシート背面インジケータ３０４を含む。シート背面インジケータ３０４は、図２Ａに示し、上述した近位インジケータ２２２の一実施例である。シート背面インジケータ３０４は、ユーザ及び／又はスタッフの注意を引くための視覚的又は聴覚的インジケータ、例えば光又はスピーカとすることができる。いくつかの実施例では、シート背面インジケータ３０４は、対応するシートベルトが適切に固定されていないという決定に応答して作動される。シート背面インジケータ３０４は、対応するシートが占有されており、且つ対応するシートベルトが固定されていないことの検出に応答して作動され得る。シート背面インジケータ３０４は、表示スクリーン３０２及び／又は他のインジケータと連動して作動させてもよい。いくつかの実施例では、シート背面インジケータ３０４及び表示スクリーン３０２は、トレイを固定する必要、シートの背もたれを真直の状態に位置させる必要、又は電子装置を切る等の他の警告を伝達する。
【００７０】
図４は、本発明の一つ又は複数の実施例による、シートベルト固定システム１０４のシートアセンブリ２０２の斜視図である。図示の実施例では、シートアセンブリ２０２は、シートアセンブリ２０２の座面パッド４０２に配置された占有センサ２０６を含む。座面パッド４０２は、座面パッド近位インジケータ２２２ａも含む。座面パッド近位インジケータ２２２ａは、シート２０３の占有者に対し、シートベルト２０４が適切に固定されていないという警告を伝達するために、シートアセンブリ２０２の座面パッド４０２に配置されている。本明細書に記載されるように、座面パッド近位インジケータ２２２ａは、占有者に対して、視覚的警告、聴覚的警告、又は触覚的警告を生成する。座面パッド近位インジケータ２２２ａは、シートアセンブリ２０２の座面パッド４０２の特定の位置に示されているが、一つ又は複数の座面パッド近位インジケータ２２２ａが、座面パッド４０２上の又は座面パッド４０２内の任意の位置に配置されてよい。図には座面パッド近位インジケータ２２２ａが一つだけ示されているが、複数の座面パッド近位インジケータ２２２ａをシートアセンブリ２０２の座面パッド４０２に組み込むこともできる。
【００７１】
シートアセンブリ２０２は、シートアセンブリ２０２の背当てパッド４０３上の又は背当てパッド４０３内に配置された背当てパッド近位インジケータ２２２ｂを含むことができる。換言すると、背当てパッド近位インジケータ２２２ｂは、シートアセンブリ２０２の背当てパッド４０３の表面又はシートアセンブリ２０２の背当てパッド４０３の表面下に配置される。背当てパッド近位インジケータ２２２ｂは、占有者の注意を引きやすい占有者の位置で平均的な占有者に接触するように、シートアセンブリ２０２の高さに沿って配置される。図には背当てパッド近位インジケータ２２２ｂが一つだけ示されているが、複数の背当てパッド近位インジケータ２２２ｂをシートアセンブリ２０２の背当てパッド４０３に組み込むこともできる。
【００７２】
シートアセンブリ２０２は、オーバーヘッド近位インジケータ２２２ｃも含むことができる。図示の実施例のオーバーヘッド近位インジケータ２２２ｃは、図２Ａの近位インジケータ２２２の一実施例である。オーバーヘッド近位インジケータ２２２ｃは、オーバヘッドパネル、コンソール、天井、又はヘッドライナ等のビークルのオーバーヘッド部分に配置することができる。オーバーヘッド近位インジケータ２２２ｃは、シートアセンブリ２０２の真上に又はシートアセンブリ２０２に空間的に対応させて配置される。オーバーヘッド近位インジケータ２２２ｃは、シート２０３の占有者又はスタッフの一方又は両方に見えるように配置され得る。
【００７３】
特定の実施例では、シートアセンブリ２０２は壁部近位インジケータ２２２ｄを含む。壁部近位インジケータ２２２ｄは、図２Ａの近位インジケータ２２２の別の実施例である。壁部近位インジケータ２２２ｄは、シート２０３に空間的に対応させて配置することができる。壁部近位インジケータ２２２ｄは、シート２０３又は一群のシートに対応し得る。壁部近位インジケータ２２２ｄは、窓４０４又はその他構造の近くに位置させることができる。いくつかの実施例では、シートアセンブリの様々な近位インジケータのうちの一つ又は複数は、他のシステム又は構造と相互作用する。例えば、壁部近位インジケータ２２２ｄは、窓４０４を開けることにより視覚的刺激を生成する。別の実施例では、壁部近位インジケータ２２２ｄ又は他の近位インジケータ２２２は、読書灯をオンにする、個々のシートベルトチャイムを鳴らす、又はシート２０３を振動させる等することができる。
【００７４】
図示の実施例では、シートアセンブリ２０２は、シートアセンブリ２０２の肘掛け４２０内に又は肘掛け４２０上に配置された肘掛け近位インジケータ２２２ｅを更に含む。シートアセンブリ２０２は、シート２０３近傍の床に配置された床近位インジケータ２２２ｆを更に含み得る。肘掛け近位インジケータ２２２ｅ及び床近位インジケータ２２２ｆは、近位インジケータ２２２の他の実施例を示す。近位インジケータ２２２ａ〜ｆの様々な実施例が本明細書に記載されるが、シート２０３の占有者に対し、シートベルト２０４が適切に固定されていないという警告を伝達する刺激を提供するために、他の近位インジケータ２２２を位置させても又は配備してもよい。
【００７５】
図５は、図４のシートアセンブリ１０４のシートベルト２０４の斜視図である。シートアセンブリ２０２のシート２０３に対応するシートベルト２０４は、シート２０３の占有者の固定を助ける。シートベルト２０４は、ラッチセンサ２１０とラッチインジケータ２１２を有するラッチ２０８を含む。図示の実施例では、ラッチセンサ２１０は、ラッチ２０８に配置され、ラッチインジケータ２１２と位置合わせされている。ラッチセンサ２１０は、ラッチインジケータ２１２に統合されてもよい。ラッチセンサ２１０はラッチインジケータ２１２と別個でもよい。ラッチインジケータ２１２は、シートベルト２０４のラッチ２０８が適切に固定されていないという決定に応答してラッチ２０８に振動を伝達するように、ラッチ２０８に連結することができる。ラッチインジケータ２１２は、ユーザの上に位置したとき又はシートに座った時に見えるように、ラッチ２０８の第１の側に配置された視覚的構成要素を含み得る。ラッチインジケータ２１２は、ラッチ２０８がシートアセンブリ２０２又はユーザ上で逆さまになった時に見えるように、ラッチ２０８の第２の側に配置された第２の視覚的構成要素も含むことができる。いくつかの実施例では、ラッチインジケータ２１２は、振動、衝撃、又はその他の触覚的刺激をユーザに提供するための触覚的構成要素である。ラッチインジケータ２１２の触覚的構成要素は、ラッチ２０８の外部又は内部に配置され得る。ラッチインジケータ２１２は、ラッチ２０８が適切に固定されていないという決定に応答して音を提供するための聴覚的インジケータを含むこともできる。視覚的、聴覚的、及び触覚的構成要素のうちのいずれか一つ又は組み合わせがラッチインジケータ２１２に含まれていてよい。
【００７６】
図示の実施例では、ラッチ２０８は、シートベルト２０４の第１のストラップ４０６をシートベルト２０４の第２のストラップ４０８に連結する。ラッチ２０８は、第１のストラップ４０６及び第２のストラップ４０８の一方に連結されたレシーバ部分と、第１のストラップ４０６及び第２のストラップ４０８の他方に連結されたインサートとを含むことができる。いくつかの実施例では、ラッチセンサ２１０は、ラッチ２０８のレシーバ、インサート、又はレシーバとインサートの両方に配置される。同様に、ラッチインジケータ２１２は、ラッチ２０８のレシーバ、インサート、又はレシーバとインサートの両方に配置されてもよい。
【００７７】
図６は、図１〜５に示システム及びアセンブリを用いてシートベルトを動的に固定するための方法５００の一実施例の概略フロー図である。方法５００は、開始されると、５０２において、コンピューティング装置２１４により、占有センサ２０６からの信号に基づいてシートアセンブリ２０２の占有の有無を決定する。いくつかの実施例では、占有の有無の決定は占有センサ２０６において行われる。代替的には、占有センサ２０６の信号がコンピューティング装置２１４に提供される。コンピューティング装置２１４は、占有センサ２０６から信号を取り込み、シート２０３の占有の有無を決定するために信号を解釈する。信号は、バイナリの占有／非占有信号とすることができるか、又は信号は、占有者と無生物の物体、例えば枕又は荷物を区別するための、圧力測定基準又はパターンを表すことができる。コンピューティング装置２１４は、時間成分を占有センサ２０６からの信号と相関させることができる。例えば、コンピューティング装置２１４は、シート２０３の空席が検出されないまま一定の時間が経過した後にのみ、シート２０３が占有されていることを決定する。
【００７８】
特定の実施例では、方法５００は、５０４において、コンピューティング装置２１４により、占有センサ２０６からの信号に基づくシートアセンブリ２０２が占有されているという決定に応答して、シートベルトのラッチ２０８のステータスを要求する。いくつかの実施例では、コンピューティング装置２１４は、占有センサ２０６からの信号がシート２０３の占有者に特異的な平均荷重又は測定基準に基づく予想範囲内であることに応答して、シート２０３が占有されていると決定する。コンピューティング装置２１４によりシート２０３が占有されていると決定されたことに応答して、コンピューティング装置２１４は、音を出すか、又はそれ以外の方法でラッチセンサ２１０からの応答を促すことができる。いくつかの実施例では、シートベルトのラッチ２０８のステータスは、コンピューティング装置２１４上の又はコンピューティング装置２１４と通信するデータベースに記憶される。コンピューティング装置２１４は、シートベルトのラッチ２０８のステータスがコンピューティング装置２１４に対して提供されるか又はアクセス可能になるように促すために、ラッチセンサ２１０又は他の装置若しくは構成要素に問い合わせることができる。
【００７９】
上述のように、要求は占有センサ２０６からの入力によって促されてもよく、また運行遷移を検出する自動又は手動システムからの入力を含むこともできる。例えば、運行遷移には、離陸、着陸、乱気流、荒波、十字路、方向転換、停止、制動、加速、又は同様の検出されたイベント、計画されたイベント、予測されたイベント若しくは手動で示されたイベントが含まれる。
【００８０】
一実施例では、方法５００は、５０６において、要求に応答してラッチ信号を受け取る。上述のように、ラッチ信号は、ラッチセンサ２１０又はラッチセンサ２１０と通信する別の構成要素若しくはシステムから直接提供され得る。ラッチ信号は、少なくとも部分的に、有線又は無線接続上で提供される。いくつかの実施例では、ラッチ信号は、コンピューティング装置２１４又は別の構成要素に継続的に提供され得る。代替的に、ラッチ信号は、コンピューティング装置２１４からの要求に応答して提供されてもよい。
【００８１】
一実施例では、方法５００は、シートベルトのラッチ２０８が固定されていないことを示すラッチ信号に応答して、５０８において、シート２０３に空間的に近接する近位警告とシート２０３から空間的に離れている遠位警告のうちの少なくとも一つを提供する。いくつかの実施例では、遠位警告は、シートベルトのラッチ２０８のステータスを示し、複数のシートからシート２０３を識別する。コンピューティング装置２１４は、複数の変数のうちのいずれか一つ又は複数に基づいて、提供する警告の種類を決定することができる。例えば、コンピューティング装置２１４は、警告に反応してシートベルト２０４を固定するためにはタイムフレームが比較的短いと決定し、それにより近位警告及び遠位警告の両方を作動させることができる。コンピューティング装置２１４は、ルックアップテーブル、又は論理パラメータ等に基づいて、警告を選択することができる。警告の選択は、シート２０３の占有者の識別された必要性又は能力に基づいていてもよく、又はパイロット、運転者、スタッフ、安全性の専門家、コントローラ、又は他のスタッフ若しくは占有者自身によって行われる選択に基づいていてもよい。
【００８２】
例えば、シート２０３は、航空機、列車、船舶、バス、又は他の公共交通機関のシートであり得る。運転者又はスタッフは、チェックすべきシートを示す警告を受け取ることができる。これにより、固定されてないシートベルト２０４を識別及び矯正するために必要な時間が、激的に短縮される。時間の短縮により、スタッフは、安全な位置に戻ることができる及び／又はスタッフと占有者両方の怪我の可能性又はストレスを低減することができる。
【００８３】
本明細書において「一つの実施例」、「一実施例」、又は同様の文言に対して言及がなされるとき、それは、実施例に関連して記載された特定の特徴、構造、又は特性が、本開示の少なくとも一実施例に含まれることを意味する。本明細書を通して記載される「一つの実施例」、「一実施例」、又は同様の文言は、すべて同じ実施例を指してもよいが、必ずしもそうでなくともよい。同様に、「実装態様」という用語は、本開示の一つ又は複数の実施例に関連して記載された特定の特徴、構造、又は特性を有する実装態様を意味するが、そうでないことを示す明らかな相関性がない限り、その実装態様は、一つ又は複数の実施例に関連付けられてよい。
【００８４】
上記の説明において、「上」、「下」、「上側」、「下側」、「水平」、「垂直」、「左」、「右」、「上方」、「下方」などの特定の語が使用されていることがある。これらの語は、相対関係に触れているとき、必要に応じて、説明に何らかの明確性をもたらすために使用されている。しかし、これらの語は、絶対的な関係性、位置、及び／又は配向を含意することは意図していない。例えば、ある対象物に関して、この対象物の上下を逆にするだけのことで、「上側」表面が「下側」表面になり得る。それでも、これは依然として同じ対象物である。更に、「含む」、「備える」、「有する」という語、及びこれらの変化形は、別途断らない限り、「〜を含むが、それらに限定されない」ことを意味する。列挙されているアイテムは、別途断らない限り、これらのアイテムのいずれか又はすべてが相互排他的及び／又は相互包括的であることを含意しない。「一つ」、及び「その／この」という語は、別途断らない限り、「一つ又は複数の」という意味も表わす。更に、「複数」という語は、「少なくとも二つ」のことであると定義することができる。
【００８５】
加えて、本明細書における、一つの要素が別の要素に「連結される」事例は、直接的及び間接的な連結を含み得る。直接連結は、一つの要素が別の要素に連結されて、別の要素と何らかの接触を有することであると定義することができる。間接連結は、二つの要素間の連結であって、互いに直接的に接触してはいないが、連結された要素間に一つ又は複数の追加要素を有する連結と定義することができる。更に、本書において、一つの要素を別の要素に固定することは、直接的に固定することと、間接的に固定することとを含み得る。加えて、本書において、「隣接」は必ずしも接触を意味するものではない。例えば、一つの要素は、別の要素に接触することなく隣接し得る。
【００８６】
本明細書において、列挙されたアイテムと共に使用される「〜のうちの少なくとも一つ（少なくとも一つの）」という表現は、列挙されたアイテムのうちの一つ又は複数の種々の組み合わせが使用可能であること、及び必要とされるのは列挙されたアイテムのうちの一つだけであり得ることを意味している。アイテムとは、特定の対象物、物品、又はカテゴリのことであり得る。換言すると、「〜のうちの少なくとも一つ」は、アイテムの任意の組み合わせ、又は任意の数のアイテムが列挙された中から使用され得ることを意味するが、列挙されたアイテムのすべてが必要とされるわけではない。例えば、「アイテムＡ、アイテムＢ、及びアイテムＣのうちの少なくとも一つ」とは、「アイテムＡ」、「アイテムＡとアイテムＢ」、「アイテムＢ」、「アイテムＡとアイテムＢとアイテムＣ」、又は「アイテムＢとアイテムＣ」を意味し得る。場合によっては、「アイテムＡ、アイテムＢ、及びアイテムＣのうちの少なくとも一つ」は、限定しないが例として、「２個のアイテムＡと１個のアイテムＢと１０個のアイテムＣ」、「４個のアイテムＢと７個のアイテムＣ」、又は他の好適な組み合わせを意味し得る。
【００８７】
別途断らない限り、「第１」、「第２」等の語は、本書では単に符号として使用されており、これらの語が表わすアイテムに、順序的、位置的、又は序列的な要件を課すことを意図しない。更に、例えば「第２」のアイテムへの言及は、例えば「第１」のアイテム若しくはより小さい数が振られたアイテム、及び／又は、例えば「第３」のアイテム若しくはより大きな数が振られたアイテムの存在を、必要とすることも、排除することもない。
【００８８】
本明細書で使用されているように、特定の機能を実行するように「構成された」システム、装置、構造、物品、要素、構成要素、又はハードウエアは、実際に、いかなる変更も行わずにその特定の機能を実行することが可能であり、更なる改変をした後にその特定の機能を実行するという単に潜在能力を有するものではない。換言すれば、特定の機能を実行するように「構成された」システム、装置、構造、物品、要素、構成要素、又はハードウエアは、特定の機能を実行するという目的のために、特に選択され、作り出され、実装され、利用され、プログラムされ、且つ／又は設計される。本明細書において、「〜ように構成された」という表現は、システム、装置、構造、物品、要素、構成要素、又はハードウエアが更なる改変を行わずに特定の機能を実行することを可能にする、システム、装置、構造、物品、要素、構成要素、又はハードウエアの特性が、存在することを意味する。本開示において、特定の機能を実行するように「構成された」と表現されるシステム、装置、構造、物品、要素、構成要素、又はハードウエアは、追加的に又は代替的に、その機能を実行するように「適合されて」いる、及び／又は実行するように「作動可能で」あると表現することもできる。
【００８９】
本書に含まれる概略フロー図は一般的に、論理フロー図として記載されている。したがって、記載の順序及び名付けられたステップは、提示された方法の一実施例を示すものである。図示された方法の一つ又は複数のステップ或いはそれらの部分の機能、論理、又は効果と均等である他のステップ及び方法が想起されてもよい。加えて、用いられている形式及び記号は、本方法の論理ステップを説明するために提供されており、本方法の範囲を限定するものではない。フロー図には様々な種類の矢印及び線が用いられてよいが、これらは、対応する方法の範囲を限定するものではない。実際、いくつかの矢印又はその他の接続部は、本方法の論理フローを示すためにのみ使用され得る。例えば、矢印は、図示されている方法の列挙されたステップ間の、不特定の長さの待機時間又はモニタリング時間を示し得る。加えて、特定の方法が発生する順序は、図示の対応するステップの順序に厳密に従うことも、従わないこともある。
【００９０】
様々なモジュールの実施例は、全体がハードウエアでの実施例、全体がソフトウエアの実施例（ファームウエア、常駐ソフトウエア、マイクロコード等を含む）、又は本明細書においてすべて一般に「回路」、「モジュール」又は「システム」と呼ばれるソフトウエア態様とハードウエア態様とを組み合わせた実施例の形式をとり得る。更に、実施例は、機械可読コード、コンピュータ可読コード、及び／又は以下「コード」と称されるプログラムコードを記憶する一つ又は複数のコンピュータ可読記憶デバイスで具現化される、プログラム製品の形式をとり得る。記憶デバイスは、有形であり、非一過性で、且つ／又は非伝播であり得る。記憶デバイスは、信号を具現化しないことがある。特定の実施例では、記憶デバイスは、アクセスコード用の信号だけを用いる。
【００９１】
更に、本開示は以下の条項による実施例を含む。
条項１．
シート（２０３）；及び
シート（２０３）に連結されたシートベルト（２０４）
を備えるシートアセンブリ（２０２）であって、シートベルト（２０４）が、
第１のストラップ（４０６）；
第２のストラップ（４０８）；及び
第１のストラップ（４０６）を第２のストラップ（４０８）に対して選択的に固定するように構成されたラッチ（２０８）を備え、ラッチが：
ラッチ（２０８）がシートベルト（２０４）の第１のストラップ（４０６）をシートベルト（２０４）の第２のストラップ（４０８）に適切に固定していることの検出に応答して固定指標を提供し、ラッチ（２０８）がシートベルト（２０４）の第１のストラップ（４０６）をシートベルト（２０４）の第２のストラップ（４０８）に適切に固定していないことの検出に応答して非固定指標を提供するように構成されたラッチセンサ（２１０）；及び
非固定指標に応答して警告を提供するように構成されたラッチインジケータ（２１２）
を備える、シートアセンブリ（２０２）。
条項２．シート（２０３）が占有されていることに応答して占有の指標を提供し、シート（２０３）が占有されていないことに応答して非占有の指標を提供するように構成された占有センサ（２０６）を更に備え、ラッチ（２０８）上のラッチインジケータ（２１２）が、占有センサ（２０６）が非占有の指標を提供するときには非固定指標に応答した警告を防止するように構成されている、条項１のシートアセンブリ（２０２）。
条項３．シートベルト（２０４）に空間的に対応するように配置された近位インジケータ（２２２）を更に備え、近位インジケータ（２２２）が、非固定指標に応答して、光、音、又は振動のうちの少なくとも一つを生成するように構成されている、条項１のシートアセンブリ（２０２）。
条項４．近位インジケータ（２２２）が、非固定指標を受け取ることに応答して視覚的警告を提供するように構成された表示スクリーン（３０２）を含む、条項１のシートアセンブリ（２０２）。
条項５．視覚的警告がシートベルト（２０４）のステータスの指標を含む、条項４のシートアセンブリ（２０２）。
条項６．視覚的警告が、シートベルト（２０４）をどのようにして適切に固定するかを説明する指示を含む、条項４のシートアセンブリ（２０２）。
条項７．表示スクリーン（３０２）が、シートベルト（２０４）のユーザに警告を伝達するために現在の表示物を中断するように構成されている、条項６のシートアセンブリ（２０２）。
条項８．ラッチ（２０８）上のラッチインジケータ（２１２）が、非固定指標に応答して照明を生成することのできる光源（２１３）、非固定指標に応答して振動による刺激を生成することのできる振動装置（２１５）、及び非固定指標に応答して聴覚的刺激を生成することのできるスピーカ（２１７）のうちの少なくとも一つを含む、条項１のシートアセンブリ（２０２）。
条項９．ラッチセンサ（２１０）がコンピューティング装置（２１４）と通信し、固定指標及び非固定指標のうちの少なくとも一つを生成する、条項１のシートアセンブリ（２０２）。
条項１０．ラッチインジケータ（２１２）がコンピューティング装置（２１４）と通信し、非固定指標に応答して警告を提供する、条項９のシートアセンブリ（２０２）。
条項１１．
シート（２０３）と、
シート（２０３）に連結されたシートベルト（２０４）であって、
第１のストラップ（４０６）；
第２のストラップ（４０８）；及び
第１のストラップ（４０６）を第２のストラップ（４０８）に対して選択的に固定するように構成されたラッチ（２０８）であって、第１のストラップ（４０６）がラッチ（２０８）を介して第２のストラップ（４０８）に適切に固定されていることを検出し、第１のストラップ（４０６）がラッチ（２０８）を介して第２のストラップ（４０８）に適切に固定されていないことを検出するように構成されたラッチセンサ（２１０）を含むラッチ（２０８）
を含むシートベルト（２０４）と、
シート（２０３）に空間的に近接し、近位警告を提供するように構成された近位インジケータ（２２２）と
を含むシートアセンブリ（２０２）；
シートベルト（２０４）の第１のストラップ（４０６）がラッチ（２０８）を介してシートベルト（２０４）の第２のストラップ（４０８）に適切に固定されていないというラッチセンサ（２１０）による検出に応答して、非固定指標を提供するように構成されたコンピューティング装置（２１４）；並びに
非固定指標に応答してシートアセンブリ（２０２）から離れた位置に遠位警告を提供するように配置された遠位インジケータ（２２４）
を備えるシートベルト固定システム（１０４）。
条項１２．シートアセンブリ（２０２）が、シートアセンブリ（２０２）が占有されていることに応答して占有の指標を提供し、シートアセンブリ（２０２）が占有されていないことに応答して非占有の指標を提供するように構成された占有センサ（２０６）を更に含み、近位インジケータ（２２２）が、占有センサ（２０６）が非占有の指標を提供するときには非固定指標に応答した警告を防止するように構成されている、条項１１のシートベルト固定システム（１０４）。
条項１３．コンピューティング装置（２１４）が、更に遠位インジケータ（２２４）と通信し、コンピューティング装置（２１４）が、乗員の手入力、乱気流ステータス、巡航ステータス、及び運行遷移の指標のうちの少なくとも一つに応答して、ラッチセンサ（２１０）、近位インジケータ（２２２）、及び遠位インジケータのうちの少なくとも一つを作動及び作動解除するように構成されている、条項１１のシートベルト固定システム（１０４）。
条項１４．ラッチ（２０８）が、ラッチ（２０８）に連結されたラッチインジケータ（２１２）を更に含み、コンピューティング装置（２１４）が、非固定指標に応答して、ラッチ（２０８）に警告を提供するようにラッチインジケータ（２１２）を作動させる、条項１１のシートベルト固定システム（１０４）。
条項１５．遠位インジケータが、中央ディスプレイ（２２６）及びモバイル機器（２２８）のうちの少なくとも一つを含み、コンピューティング装置（２１４）が、非固定指標に応答して遠位警告を提供するように中央ディスプレイ（２２６）及びモバイル機器（２２８）のうちの少なくとも一つを作動させる、条項１１のシートベルト固定システム（１０４）。
条項１６．シートベルトの固定方法（５００）であって：
占有センサ（２０６）からの信号に基づいてシート（２０３）の占有の有無を決定すること；
シート（２０３）が占有されているという決定に応答して、シートベルトのラッチ（２０８）のステータスを要求すること；
要求に応答して、ラッチセンサ（２１０）からラッチ信号を受け取ること；及び
少なくとも、シートベルトのラッチ（２０８）が固定されていないことを示すラッチ信号に応答して、シート（２０３）に空間的に近接する近位警告及びシート（２０３）から空間的に離れている遠位警告のうちの少なくとも一つを提供すること
を含む方法。
条項１７．近位警告及び遠位警告のうちの少なくとも一つが更に：
シートアセンブリ（２０２）のシートベルト固定モードを作動させるための手入力を受け取ること；及び
少なくとも一つの運行遷移の検出を受け取ること
のうちの少なくとも一つに応答して提供される、条項１６の方法。
条項１８．近位警告を提供することが、ラッチインジケータ（２１２）及び近位インジケータ（２２２）のうちの少なくとも一つに近位警告を生成することを含む、条項１６の方法。
条項１９．遠位警告を提供することが、遠位警告を表示するように、シート（２０３）から空間的に離れた中央ディスプレイ（２２６）を作動させることを含む、条項１６の方法。
条項２０．近位警告及び遠位警告のうちの少なくとも一つを提供することが、警告を表示するようにモバイル機器（２２８）を作動させることを含む、条項１６の方法。
【００９２】
本出願の主題は、その本質及び実質的な特性から逸脱することなく、他の具体的な形態で具現化され得る。記載された実施例は、あらゆる点で例示にすぎず限定的ではないと解釈するべきである。特許請求の範囲の意味及び均等性の範囲に該当するすべての変更は、特許請求の範囲に含まれる。
【図１】
2020001683.tif 000003
【図２Ａ】
2020001683.tif 000004
【図２Ｂ】
2020001683.tif 000005
【図３】
2020001683.tif 000006
【図４】
2020001683.tif 000007
【図５】
2020001683.tif 000008
【図６】
2020001683.tif 000009
【外国語明細書】
2020001683000001.pdf
2020001683000002.pdf
2020001683000003.pdf
2020001683000004.pdf